【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
物品であって、
第１の次元に沿って、かつ前記第１の次元と異なる第２の次元に沿って曲がるために構成されている可撓性電子構成要素と、
前記可撓性電子構成要素に結合されている可撓性支持体であって、前記可撓性支持体は、前記第１の次元および前記第２の次元に沿った前記可撓性電子構成要素の曲がりを前記可撓性電子構成要素の曲がりの許容値内の範囲に制限するように構成されている曲がりを制限する構造を含む、可撓性支持体と、
を備えている、物品。
【請求項２】
前記可撓性電子構成要素は、前記可撓性電子構成要素を損なうことなく、前記可撓性電子構成要素が前記第１の次元に沿って曲げられることが可能な第１の最小臨界曲げ半径と、前記可撓性電子構成要素を損なうことなく、前記可撓性電子構成要素が前記第２の次元に沿って曲げられることが可能な第２の最小臨界曲げ半径とを有し、前記可撓性電子構成要素の曲がりの許容値は、少なくとも部分的に、前記第１の最小臨界曲げ半径および前記第２の最小臨界曲げ半径によって画定されている、請求項１に記載の物品。
【請求項３】
前記第２の最小臨界曲げ半径は、前記第１の最小臨界曲げ半径と異なる、請求項２に記載の物品。
【請求項４】
前記曲がりを制限する構造は、前記第１の次元に沿った前記可撓性電子構成要素の曲がりを前記可撓性電子構成要素の前記第１の最小臨界曲げ半径より大きいかまたはそれに等しい第１の曲げ半径に制限し、前記第２の次元に沿った前記可撓性電子構成要素の曲がりを前記可撓性電子構成要素の前記第２の最小臨界曲げ半径より大きいかまたはそれに等しい第２の曲げ半径に制限するように構成されている、請求項１〜３のいずれか１項に記載の物品。
【請求項５】
前記第２の曲げ半径は、前記第１の曲げ半径と異なる、請求項４に記載の物品。
【請求項６】
前記可撓性電子構成要素は、可撓性ディスプレイ、可撓性電子回路、可撓性シート、センサタグ、または可撓性ＯＬＥＤ照明を備えている、請求項１〜５のいずれか１項に記載の物品。
【請求項７】
前記第１の次元は、縦方向次元を備え、前記第２の次元は、横方向次元を備えている、請求項１〜６のいずれか１項に記載の物品。
【請求項８】
前記可撓性支持体は、前記可撓性電子構成要素に移動可能に結合されており、前記可撓性支持体および前記可撓性電子構成要素は、取り付け可能な物品が、前記第１の次元に沿って、および／または前記第２の次元に沿って曲げられるとき、互いに対して移動可能であることによって、前記物品は、前記可撓性電子構成要素自体の曲がりの範囲に実質的に類似する曲がりの範囲を有することが可能である、請求項１〜７のいずれか１項に記載の物品。
【請求項９】
前記可撓性支持体および前記可撓性電子構成要素は、互いに対して縦方向に移動可能である、請求項８に記載の物品。
【請求項１０】
前記可撓性支持体は、前記可撓性電子構成要素にスライド可能に結合されている、請求項８または請求項９に記載の物品。
【請求項１１】
前記可撓性支持体は、第１の長さおよび第１の幅を有し、前記可撓性電子構成要素は、第２の長さおよび第２の幅を有し、前記第２の長さは、前記第１の長さより短く、前記第２の幅は、前記第１の幅より小さい、請求項８〜１０のいずれか１項に記載の物品。
【請求項１２】
前記可撓性支持体は、第１の材料から作製され、前記物品は、第２の材料から作製されている第２の可撓性支持体をさらに備え、前記第２の材料は、前記第１の可撓性材料より可撓性である、請求項８〜１１のいずれか１項に記載の物品。
【請求項１３】
前記第２の材料は、前記第１の材料より低いヤング率を有する、請求項１２に記載の物品。
【請求項１４】
前記第２の可撓性支持体は、空洞およびスロットを画定し、前記可撓性電子構成要素は、前記空洞内に配置され、前記第１の可撓性支持体は、前記スロット内に配置されている、請求項１２または請求項１３に記載の物品。
【手続補正２】
【補正対象書類名】明細書
【補正対象項目名】００２９
【補正方法】変更
【補正の内容】
【００２９】
なおもさらに、可撓性電子ディスプレイは、リード線が可撓性ディスプレイのディスプレイ面積を励起するために使用される、可撓性ディスプレイの縁が、ディスプレイの下方または下側に曲げられもしくは折畳されるように形成されることによって、取り付け可能な物品の上側表面上に最大使用可能ディスプレイ面積を提示するように構成されてもよい。そのような構成は、ディスプレイ画素が位置しない、取り付け可能な物品の上側または外側表面上に面積を有する必要性を制限もしくは低減させる。
本発明は、例えば、以下を提供する。
（項目１）
物品であって、
第１の次元に沿って、かつ前記第１の次元と異なる第２の次元に沿って曲がるために構成されている可撓性電子構成要素と、
前記可撓性電子構成要素に結合されている可撓性支持体であって、前記可撓性支持体は、前記第１および第２の次元に沿った前記可撓性電子構成要素の曲がりを前記可撓性電子構成要素の曲がりの許容値内の範囲に制限するように構成されている曲がりを制限する構造を含む、可撓性支持体と、
を備えている、物品。
（項目２）
前記可撓性電子構成要素は、前記可撓性電子構成要素を損なうことなく、前記可撓性電子構成要素が前記第１の次元に沿って曲げられることが可能な第１の最小臨界曲げ半径と、前記可撓性電子構成要素を損なうことなく、前記可撓性電子構成要素が前記第２の次元に沿って曲げられることが可能な第２の最小臨界曲げ半径とを有し、前記可撓性電子構成要素の曲がりの許容値は、少なくとも部分的に、前記第１および第２の最小臨界曲げ半径によって画定されている、項目１に記載の物品。
（項目３）
前記第２の最小臨界曲げ半径は、前記第１の最小臨界曲げ半径と異なる、項目２に記載の物品。
（項目４）
前記曲がりを制限する構造は、前記第１の次元に沿った前記可撓性電子構成要素の曲がりを前記可撓性電子構成要素の前記第１の最小臨界曲げ半径より大きいかまたはそれに等しい第１の曲げ半径に制限し、前記第２の次元に沿った前記可撓性電子構成要素の曲がりを前記可撓性電子構成要素の前記第２の最小臨界曲げ半径より大きいかまたはそれに等しい第２の曲げ半径に制限するように構成されている、項目１〜３のいずれか１項に記載の物品。
（項目５）
前記第２の曲げ半径は、前記第１の曲げ半径と異なる、項目４に記載の物品。
（項目６）
前記可撓性電子構成要素は、可撓性ディスプレイ、可撓性電子回路、可撓性シート、センサタグ、または可撓性ＯＬＥＤ照明を備えている、項目１〜５のいずれか１項に記載の物品。
（項目７）
前記第１の次元は、縦方向次元を備え、前記第２の次元は、横方向次元を備えている、項目１〜６のいずれか１項に記載の物品。
（項目８）
前記曲がりを制限する構造は、前記可撓性支持体の上部または底部側に形成されている第１の複数の溝および第２の複数の溝を備え、前記第１の複数の溝は、前記可撓性支持体の一方の横方向側から前記可撓性支持体の他方の横方向側に延び、前記第１の次元における前記可撓性電子構成要素の曲がりを制限するように構成され、前記第２の複数の溝は、前記可撓性支持体の一方の縦方向側から前記可撓性支持体の他方の縦方向側に延び、前記第２の次元における前記可撓性電子構成要素の曲がりを制限するように構成されている、項目１〜７のいずれか１項に記載の物品。
（項目９）
前記第２の複数の溝は、前記第１の複数の溝に直交している、項目８に記載の物品。
（項目１０）
前記可撓性支持体は、前記可撓性電子構成要素に最も近接して配置されている第１の不断区分を有し、かつ前記第１の区分に隣接して配置されている第２の区分を有する柔軟性材料を含み、前記第２の区分は、その中に形成されている第１および第２の複数の溝を有し、前記第１および第２の複数の溝の各溝は、その溝に隣接する前記可撓性支持体の部分間の局所曲がりを制限するように構成されている、項目８または９に記載の物品。
（項目１１）
前記第１および第２の複数の溝の側面は、前記可撓性電子構成要素が前記可撓性電子構成要素の曲がりの許容値内の範囲の外に曲げられるのに先立って、前記可撓性支持体の曲がりに応じて、特定の溝の側面が触れ合うように、テーパ状である、項目８〜１０のいずれか１項に記載の物品。
（項目１２）
前記第１の複数の溝は、前記可撓性支持体を横断して均一に離間されている、項目８〜１１のいずれか１項に記載の物品。
（項目１３）
前記第１の複数の溝は、前記可撓性支持体を横断して異なる距離で離間されている、項目８〜１１のいずれか１項に記載の物品。
（項目１４）
前記第２の複数の溝は、前記可撓性支持体を横断して均一に離間されている、項目８〜１３のいずれか１項に記載の物品。
（項目１５）
前記第２の複数の溝は、前記可撓性支持体を横断して異なる距離で離間されている、項目８〜１３のいずれか１項に記載の物品。
（項目１６）
前記曲がりを制限する構造は、各々が前記可撓性支持体の上部または底部側に形成されている第１の複数の溝と、第２の複数の溝と、第３の複数の溝とを備え、前記第１、第２、および第３の複数の溝は、互いに対してある角度で形成されている、項目１〜８のいずれか１項に記載の物品。
（項目１７）
前記第１、第２、および第３の複数の溝は、互いに対して約６０度の角度で形成されている、項目１６に記載の物品。
（項目１８）
前記可撓性支持体は、前記可撓性電子構成要素に移動可能に結合されており、前記可撓性支持体および前記可撓性電子構成要素は、取り付け可能な物品が、前記第１の次元に沿って、および／または前記第２の次元に沿って曲げられるとき、互いに対して移動可能であることによって、前記物品は、前記可撓性電子構成要素自体の曲がりの範囲に実質的に類似する曲がりの範囲を有することが可能である、項目１〜１７のいずれか１項に記載の物品。
（項目１９）
前記可撓性支持体および前記可撓性電子構成要素は、互いに対して縦方向に移動可能である、項目１８に記載の物品。
（項目２０）
前記可撓性支持体は、前記可撓性電子構成要素にスライド可能に結合されている、項目１８または１９に記載の物品。
（項目２１）
前記可撓性支持体は、第１の長さおよび第１の幅を有し、前記可撓性電子構成要素は、第２の長さおよび第２の幅を有し、前記第２の長さは、前記第１の長さより短く、前記第２の幅は、前記第１の幅より小さい、項目１８〜２０のいずれか１項に記載の物品。
（項目２２）
前記可撓性支持体は、空洞を画定し、前記可撓性電子構成要素は、前記空洞内に配置されている、項目１８〜２１のいずれか１項に記載の物品。
（項目２３）
前記可撓性支持体は、底壁と、前記底壁から上向きに延びている一対の対向する側壁とによって画定され、前記空洞は、前記底壁と前記対の対向する側壁との間に画定されている、項目２２に記載の物品。
（項目２４）
前記側壁は、前記可撓性電子構成要素を包囲している、項目２３に記載の物品。
（項目２５）
前記可撓性支持体は、前記対向する側壁の各々に結合され、前記対向する側壁の各々から内向きに延びている保持部分をさらに含み、前記保持部分は、前記可撓性電子構成要素を前記可撓性支持体の空洞内に保持し、前記物品が、前記第１の次元および／または前記第２の次元に沿って曲げられるとき、前記曲がりを制限する構造としての役割を果たすように構成されている、項目２３または２４に記載の物品。
（項目２６）
それぞれ、前記可撓性電子構成要素の第１および第２の部分に張力を加えるように構成されている第１および第２のばね要素をさらに備えている、項目１８〜２５のいずれか１項に記載の物品。
（項目２７）
前記第１のばね要素は、前記可撓性支持体の一端に固定して取り付けられている第１の端部と、前記可撓性電子構成要素の対応する端に固定して取り付けられている第２の端部とを有し、前記第２のばね要素は、前記可撓性支持体の片側に固定して取り付けられている第１の端部と、前記可撓性電子構成要素の対応する側に固定して取り付けられている第２の端部とを有する、項目２６に記載の物品。
（項目２８）
前記可撓性電子構成要素の一部に張力を加えるように構成されているばね要素をさらに備えている、項目１８〜２５のいずれか１項に記載の物品。
（項目２９）
前記ばね要素は、前記可撓性支持体の一端に固定して取り付けられている第１の端部と、前記可撓性電子構成要素の対応する端に固定して取り付けられている第２の端部とを有する、項目２８に記載の物品。
（項目３０）
前記可撓性支持体に結合され、少なくとも部分的に前記空洞を覆う可撓性シートをさらに備え、前記可撓性電子構成要素は、少なくとも部分的に、前記可撓性シートを通して可視であり、前記可撓性シートは、前記物品が、前記第１の次元および／または前記第２の次元に沿って曲げられているとき、前記可撓性電子構成要素を前記可撓性支持体の空洞内に保持するように構成されている、項目１８〜２４のいずれか１項に記載の物品。
（項目３１）
前記可撓性シートは、前記対向する側壁の各々の上部部分に接着している、項目３０に記載の物品。
（項目３２）
前記可撓性支持体は、第１の材料から作製され、前記物品は、第２の材料から作製されている第２の可撓性支持体をさらに備え、前記第２の材料は、前記第１の可撓性材料より可撓性である、項目１８〜２１のいずれか１項に記載の物品。
（項目３３）
前記第２の材料は、前記第１の材料より低いヤング率を有する、項目３２に記載の物品。
（項目３４）
前記第２の可撓性支持体は、空洞およびスロットを画定し、前記可撓性電子構成要素は、前記空洞内に配置され、前記第１の可撓性支持体は、前記スロット内に配置されている、項目３２または３３に記載の物品。
（項目３５）
前記スロットは、前記第２の可撓性支持体が前記空洞内に配置されている前記可撓性電子構成要素に支持を提供可能であるように、前記空洞に近接して形成されている、項目３４に記載の物品。
（項目３６）
前記可撓性電子構成要素は、前記空洞内で前記第２の可撓性支持体に接着している、項目３４または３５に記載の物品。
（項目３７）
前記第１の可撓性支持体および前記可撓性電子構成要素は、互いに対して縦方向に移動可能である、項目３２〜３６のいずれか１項に記載の物品。
（項目３８）
前記曲がりを制限する構造は、前記可撓性支持体に沿って配置されている第１の複数のバーおよび第２の複数のバーを備えている、項目１〜３７のいずれか１項に記載の物品。
（項目３９）
前記第１の複数のバーは、前記可撓性支持体の一方の横方向側と前記可撓性支持体の他方の横方向側との間に延び、前記第２の複数のバーは、前記可撓性支持体の一方の縦方向側と前記可撓性支持体の他方の縦方向側との間に延びている、項目３８に記載の物品。
（項目４０）
前記可撓性支持体は、第１の材料から作製され、前記第１の複数のバーおよび前記第２の複数のバーは、前記第１の材料より堅い第２の材料から作製されている、項目３８または３９に記載の物品。
（項目４１）
前記曲がりを制限する構造は、前記可撓性支持体に沿って配置されている第３の複数のバーをさらに備え、前記第１、第２、および第３の複数のバーは、互いに対してある角度で配置されている、項目３８に記載の物品。
（項目４２）
前記第１、第２、および第３の複数のバーは、互いに対して約６０度の角度で配置されている、項目４１に記載の物品。
（項目４３）
前記曲がりを制限する構造は、複数の相互接続されたリンクを備えている、項目１〜７のいずれか１項に記載の物品。
（項目４４）
前記曲がりを制限する構造は、ヒンジを用いて相互接続された材料の複数の堅い部品を含み、前記ヒンジは、前記可撓性電子ディスプレイの曲がりを前記可撓性電子構成要素の曲がりの許容値内に制限するように構成されている、項目４３に記載の物品。
（項目４５）
前記複数の堅い部品は、前記可撓性支持体に沿って横方向に配置されている材料の第１の一連の堅い部品と、前記可撓性支持体に沿って縦方向に配置されている材料の第２の一連の堅い部品とを含む、項目４４に記載の物品。
（項目４６）
前記曲がりを制限する構造は、前記材料の第１の一連の堅い部品の曲がりを制限するように構成されている第１の一連の突出部と、前記材料の第２の一連の堅い部品の曲がりを制限するように構成されている第２の一連の突出部とを含む、項目４５に記載の物品。
（項目４７）
前記可撓性電子構成要素は、実質的に平坦な位置に置かれた場合、基準平面内に２次元エリアを画定し、前記可撓性支持体の曲がりを制限する構造は、前記可撓性電子構成要素が前記第１の次元における第１の曲がりの軸および前記第２の次元における第２の曲がりの軸に沿って同時に曲げられた場合、前記基準平面上への前記第１の曲がりの軸の第１の投影と前記基準平面上への前記第２の曲がりの軸の第２の投影とが前記基準平面の前記２次元エリア内に位置する点において交差しないように、前記可撓性電子構成要素の曲がりを制約するように構成されている、項目１〜７のいずれか１項に記載の物品。
（項目４８）
前記曲がりを制限する構造は、第１の基板と、前記第１の基板に移動可能に結合されている第２の基板と、前記第１の基板内に形成されている複数の開口と、前記第２の基板に結合されている複数の突出部とを備え、前記複数の突出部は、それぞれ、前記複数の開口内に移動可能に配置されている、項目４７に記載の物品。
（項目４９）
前記複数の開口の各々は、前記可撓性電子構成要素の曲がりを制約するように配置されている内壁によって画定されている、項目４８に記載の物品。
（項目５０）
前記可撓性支持体は、第１の基板と、前記第１の基板に移動可能に結合されている第２の基板と、前記第１の基板内に形成されている複数のスロットと、前記第２の基板に結合されている複数の突出部とを備え、前記複数の突出部は、それぞれ、前記複数のスロット内に移動可能に配置されている、項目４７に記載の物品。
（項目５１）
前記複数の突出部は、複数のピンを備えている、項目５０に記載の物品。
（項目５２）
前記スロットの各々は、前記可撓性電子構成要素の曲がりを制約するように配置されている複数の停止表面を画定している、項目５０または５１に記載の物品。
（項目５３）
各スロットは、２つの縦方向に延びている部分と、前記縦方向に延びている部分に垂直の２つの横方向に延びている部分とによって画定されている、項目５２に記載の物品。
（項目５４）
各スロットは、４つの角度付けられた部分によってさらに画定され、各角度付けられた部分は、前記縦方向に延びている部分のうちの１つと前記横方向に延びている部分のうちの１つとの間に配置されている、項目５３に記載の物品。
（項目５５）
前記スロットのうちの１つ以上のものは、４つの停止表面を画定し、前記４つの停止表面は、横方向における前記可撓性電子構成要素の曲がりを制約するように配置されている第１および第２の停止表面と、縦方向における前記可撓性電子構成要素の曲がりを制約するように配置されている第３および第４の停止表面とを含む、項目５２〜５４のいずれか１項に記載の物品。
（項目５６）
前記スロットのうちの１つ以上のものは、前記可撓性電子構成要素の曲がりを制約するように配置されている８つの停止表面を画定している、項目５４または５５に記載の物品。
（項目５７）
前記第１の基板の一部は、固定点において、前記第２の基板の一部に局所的に固定して取り付けられている、項目４８〜５４のいずれか１項に記載の物品。
（項目５８）
前記固定点は、前記可撓性支持体の中心部分に位置している、項目５７に記載の物品。
（項目５９）
前記固定点は、前記可撓性支持体の縦方向端部に隣接して位置している、項目５７に記載の物品。
（項目６０）
前記可撓性支持体は、複数の画定された曲がり領域を備えている、項目４７〜４９のいずれか１項に記載の物品。
（項目６１）
前記可撓性支持体は、前記画定された曲がり領域の２つ以上のものの間に配置されている少なくとも１つの堅いゾーンを備えている、項目６０に記載の物品。
（項目６２）
前記画定された曲がり領域は、互いに対して角度付けられる、項目６０または６１に記載の物品。
（項目６３）
物品であって、
第１の曲がりの軸および前記第１の曲がりの軸と異なる第２の曲がりの軸に沿って曲がるために構成されている可撓性電子構成要素と、
第１の基板と、
前記第１の基板に移動可能に結合されている第２の基板と、
前記第１の基板内に形成されている複数のスロットと、
前記第２の基板に結合され、前記複数のスロットの対応する１つ内に移動可能に配置されている複数の突出部と
を備え、
前記複数のスロットは、ある曲がりの範囲内における前記第１の曲がりの軸および前記第２の曲がりの軸に沿った前記可撓性電子構成要素の同時の曲がりを可能にするように画定されている、物品。
（項目６４）
前記可撓性電子構成要素は、実質的に平坦な位置に置かれた場合、基準平面内に２次元エリアを画定し、前記複数のスロットは、前記可撓性電子構成要素が、前記第１の曲がりの軸に沿って、かつ前記第２の曲がりの軸に沿って同時に曲げられた場合、前記基準平面上への前記第１の曲がりの軸の第１の投影が、前記基準平面の前記２次元エリア内に位置する点において、前記基準平面上への前記第２の曲がりの軸の第２の投影と交差しないように画定されている、項目６３に記載の物品。
（項目６５）
前記第１および第２の曲がりの軸は、互に平行であるが同一平面上にはない、項目６３または６４に記載の物品。
（項目６６）
前記第１および第２の曲がりの軸は、互に平行ではない、項目６３または６４に記載の物品。
（項目６７）
前記第１の基板は、実質的に平坦な位置に置かれた場合、第１の平面内にある平面表面を画定し、前記第２の基板は、実質的に平坦な位置に置かれた場合、第２の平面内にある平面表面を画定し、前記第２の平面は、前記第１の平面に平行である、項目６３〜６６のいずれか１項に記載の物品。
（項目６８）
前記可撓性電子構成要素は、可撓性ディスプレイ、可撓性電子回路、可撓性シート、センサタグ、または可撓性ＯＬＥＤ照明を備えている、項目６３〜６７のいずれか１項に記載の物品。
（項目６９）
前記複数の突出部は、複数のピンを備えている、項目６３〜６８のいずれか１項に記載の物品。
（項目７０）
前記スロットの各々は、前記可撓性電子構成要素の曲がりを制約するように配置されている複数の停止表面を画定している、項目６３〜６９のいずれか１項に記載の物品。
（項目７１）
各スロットは、２つ以上の部分によって画定され、各部分は、異なる方向に延びている、項目６３〜７０のいずれか１項に記載の物品。
（項目７２）
前記スロットのうちの１つ以上のものは、偶数個の部分によって画定されている、項目７１に記載の物品。
（項目７３）
前記スロットのうちの１つ以上のものは、奇数個の部分によって画定されている、項目７１または７２に記載の物品。
（項目７４）
各スロットの２つ以上の部分は、中心点から外向きに延びている、項目７０〜７３のいずれか１項に記載の物品。
（項目７５）
前記スロットのうちの１つ以上のものの２つ以上の部分は、前記それぞれのスロットの中心点の周囲に対称的に配置されている、項目７４に記載の物品。
（項目７６）
前記スロットのうちの１つ以上のものの２つ以上の部分は、前記それぞれのスロットの中心点の周囲に非対称的に配置されている、項目７４に記載の物品。
（項目７７）
前記スロットのうちの１つ以上のものの２つ以上の部分は、異なる形状および／またはサイズを有する、項目７１〜７６のいずれか１項に記載の物品。
（項目７８）
前記スロットのうちの１つ以上のものは、十字形状を有する、項目７１〜７７のいずれか１項に記載の物品。
（項目７９）
各スロットは、２つの縦方向に延びている部分と、前記縦方向に延びている部分に垂直の２つの横方向に延びている部分とによって画定されている、項目６３〜６９、７４、７５、および７８のいずれか１項に記載の物品。
（項目８０）
各スロットは、４つの角度付けられた部分によってさらに画定され、各角度付けられた部分は、前記縦方向に延びている部分のうちの１つと前記横方向に延びている部分のうちの１つとの間に配置されている、項目７９に記載の物品。
（項目８１）
前記スロットのうちの１つ以上のものは、４つの停止表面を画定し、前記４つの停止表面は、横方向における前記可撓性電子構成要素の曲がりを制約するように配置されている第１および第２の停止表面と、縦方向における前記可撓性電子構成要素の曲がりを制約するように配置されている第３および第４の停止表面とを含む、項目６３〜８０のいずれか１項に記載の物品。
（項目８２）
前記スロットのうちの１つ以上のものは、前記可撓性電子構成要素の曲がりを制約するように配置されている８つの停止表面を画定している、項目８１に記載の物品。
（項目８３）
前記第１の基板の一部は、固定点において、前記第２の基板の一部に局所的に固定して取り付けられている、項目６３〜８２のいずれか１項に記載の物品。
（項目８４）
前記固定点は、前記支持構造の中心部分に位置している、項目８３に記載の物品。
（項目８５）
前記固定点は、前記支持構造の縦方向端部に隣接して位置している、項目８４に記載の物品。
（項目８６）
各スロットは、実質的に円形形状を有する、項目６３〜６９のいずれか１項に記載の物品。
（項目８７）
物品であって、
第１の次元に沿って、かつ前記第１の次元と異なる第２の次元に沿って曲がるために構成されている可撓性電子構成要素と、
前記可撓性電子構成要素に移動可能に結合されている可撓性支持体と
を備え、
前記可撓性支持体と前記可撓性電子構成要素とは、取り付け可能な物品が前記第１の次元に沿って、および／または前記第２の次元に沿って曲げられたとき、前記物品が前記可撓性電子構成要素自体の曲がりの範囲に実質的に類似する曲がりの範囲を有し得るように、互いに対して移動可能である、物品。
（項目８８）
前記可撓性支持体および前記可撓性電子構成要素は、互いに対して縦方向に移動可能である、項目８７に記載の物品。
（項目８９）
前記可撓性支持体は、前記可撓性電子構成要素にスライド可能に結合されている、項目８７または８８に記載の物品。
（項目９０）
前記可撓性支持体は、第１の長さおよび第１の幅を有し、前記可撓性電子構成要素は、第２の長さおよび第２の幅を有し、前記第２の長さは、前記第１の長さより短く、前記第２の幅は、前記第１の幅より小さい、項目８７〜８９のいずれか１項に記載の物品。
（項目９１）
前記可撓性支持体は、空洞を画定し、前記可撓性電子構成要素は、前記空洞内に配置されている、項目８７〜９０のいずれか１項に記載の物品。
（項目９２）
前記可撓性支持体は、底壁と、前記底壁から上向きに延びている一対の対向する側壁とによって画定され、前記空洞は、前記底壁と前記対の対向する側壁との間に画定されている、項目９１に記載の物品。
（項目９３）
前記側壁は、前記可撓性電子構成要素を包囲している、項目９２に記載の物品。
（項目９４）
前記可撓性支持体は、前記対向する側壁の各々に結合され、前記対向する側壁の各々から内向きに延びている保持部分をさらに含み、前記保持部分は、前記可撓性電子構成要素を前記可撓性支持体の空洞内に保持するように構成されている、項目９２または９３に記載の物品。
（項目９５）
前記可撓性電子構成要素の一部に張力を加えるように構成されているばね要素をさらに備えている、項目８７〜９３のいずれか１項に記載の物品。
（項目９６）
前記ばね要素は、前記可撓性支持体の一端に固定して取り付けられている第１の端部と、前記可撓性電子構成要素の対応する端に固定して取り付けられている第２の端部とを有する、項目９５に記載の物品。
（項目９７）
それぞれ、前記可撓性電子構成要素の第１および第２の部分に張力を加えるように構成されている第１および第２のばね要素をさらに備えている、項目８７〜９４のいずれか１項に記載の物品。
（項目９８）
前記第１のばね要素は、前記可撓性支持体の一端に固定して取り付けられている第１の端部と、前記可撓性電子構成要素の対応する端に固定して取り付けられている第２の端部とを有し、前記第２のばね要素は、前記可撓性支持体の片側に固定して取り付けられている第１の端部と、前記可撓性電子構成要素の対応する側に固定して取り付けられている第２の端部とを有する、項目９５に記載の物品。
（項目９９）
前記可撓性支持体に結合され、少なくとも部分的に前記空洞を覆う可撓性シートをさらに備え、前記可撓性電子構成要素は、少なくとも部分的に、前記可撓性シートを通して可視であり、前記可撓性シートは、前記物品が前記第１の次元および／または前記第２の次元に沿って曲げられているとき、前記可撓性電子構成要素を前記可撓性支持体の空洞内に保持するように構成されている、項目８７〜９３のいずれか１項に記載の物品。
（項目１００）
前記可撓性シートは、前記対向する側壁の各々の上部部分に接着している、項目９９に記載の物品。
（項目１０１）
前記可撓性支持体は、第１の材料から作製され、前記物品は、第２の材料から作製されている第２の可撓性支持体をさらに備え、前記第２の材料は、前記第１の可撓性材料より可撓性である、項目９３〜９８のいずれか１項に記載の物品。
（項目１０２）
前記第２の材料は、前記第１の材料より低いヤング率を有する、項目１０１に記載の物品。
（項目１０３）
前記第２の可撓性支持体は、空洞およびスロットを画定し、前記可撓性電子構成要素は、前記空洞内に配置され、前記第１の可撓性支持体は、前記スロット内に配置されている、項目１０１または１０２に記載の物品。
（項目１０４）
前記スロットは、前記第２の可撓性支持体が前記空洞内に配置されている前記可撓性電子構成要素に支持を提供可能であるように、前記空洞に近接して形成されている、項目１０３に記載の物品。
（項目１０５）
前記可撓性電子構成要素は、前記空洞内で前記第２の可撓性支持体に接着している、項目１０３または１０４に記載の物品。
（項目１０６）
前記第１の可撓性支持体および前記可撓性電子構成要素は、互いに対して縦方向に移動可能である、項目１０１〜１０５のいずれか１項に記載の物品。
（項目１０７）
項目１〜１０６のいずれか１つ以上の他の項目と組み合わせられる項目１〜１０６のいずれか１項。